(57)【要約】【課題】  医療従事者が患者と面と向かって会話している場合に、できる限り患者に対して不快な感情を抱かせないように医療従事者が患者との会話を終了させるきっかけを作るようにする。【解決手段】  開始操作部１６が操作されてから医療従事者が立ち去るべきタイミングまでの動作時間を動作時間情報として予め記憶しておく。開始操作部１６が操作されると時間の計測を開始し、計測した時間が動作時間になった場合、患者との会話を終了させるためのきっかけを作るために報知部１３を動作させるようにしている。これにより、看護行為の対象となる患者が会話好きであると推測される場合に、病室に入る前に開始操作部１６を予め操作しておけば病室から立ち去るべきタイミングで報知部１３による報知が行われるので、患者の目の前で開始操作部１６を操作する必要がなくなり、操作を患者に見られてしまう可能性が低くなる。【選択図】        図１
2010259501.tif 000002
【特許請求の範囲】
【請求項１】
医療従事者により携行され、患者により呼出操作が行われたときに呼び出しを報知するための呼出信号を受信し、前記患者からの呼び出しに応答するためのハンディナースコール親機であって、
前記呼び出しを報知する報知部と、
前記報知部を動作させるために操作される開始操作部と、
前記開始操作部が操作されてから前記医療従事者が前記患者の居る病室から立ち去るべきタイミングまでの動作時間を動作時間情報として予め記憶する記憶部と、
時間を計測するタイマー部と、
前記開始操作部が操作された場合に、前記タイマー部を動作させるとともに、前記タイマー部が計測した時間が前記記憶部から読み出した前記動作時間情報の時間になった場合に、前記報知部を動作させる制御部と、
を備えたことを特徴とするハンディナースコール親機。
【請求項２】
医療従事者により携行され、患者により呼出操作が行われたときに呼び出しを報知するための呼出信号を受信し、前記患者からの呼び出しに応答するためのハンディナースコール親機であって、
前記呼び出しを報知する報知部と、
前記報知部を動作させるために操作される開始操作部と、
前記開始操作部が操作されてから前記医療従事者が前記患者の居る病室から立ち去るべきタイミングまでの動作時間を示す動作時間情報として予め記憶するとともに、前記動作時間よりも短く、前記開始操作部が操作されてから前記医療従事者が前記病室内で看護行為を終了するであろうタイミングまでの所定時間を所定時間情報として予め記憶する記憶部と、
時間を計測するタイマー部と、
前記医療従事者が病室に居ることを検出する検出部と、
前記開始操作部が操作された場合に、前記タイマー部を動作させるとともに、前記タイマー部が計測した時間が前記記憶部から読み出した前記所定時間情報の時間から前記動作時間情報の時間までの間にある場合に、前記医療従事者が病室に居ると前記検出部にて検出したときに、前記報知部を動作させる制御部と、
を備えたことを特徴とするハンディナースコール親機。
【発明の詳細な説明】
【技術分野】
【０００１】
本発明は、病院などで医師や看護師などの医療従事者が携行し、患者からの呼び出しを医療従事者に伝達するためのハンディナースコール親機に関する。
【背景技術】
【０００２】
従来、病院などでは、ナースコールシステムが用いられている。ナースコールシステムは、病室内の患者の近辺（例えば、ベッド近傍など）に設置されたナースコール子機および医療従事者の居る部屋（例えば、スタッフルームなど）に設置されたナースコール親機を有線などにより接続して構成されている。また、ナースコール子機およびナースコール親機は、廊下灯や制御機などを介して接続されている。さらに、複数の医療従事者がそれぞれ携行しているハンディナースコール親機（例えば、ＰＨＳ（Ｐｅｒｓｏｎａｌ  Ｈａｎｄｙｐｈｏｎｅ  Ｓｙｓｔｅｍ）やコードレス電話などの携帯通信端末）は、無線を介してナースコール親機に接続されている。そして、患者によりナースコール子機が操作されると、ナースコール親機やハンディナースコール親機は、自装置に設けられた報知部を動作させて、スピーカから呼び出し音を出力させたり、表示ディスプレイなどに呼び出し表示を行わせたりして、呼び出しを報知している。医療従事者は、呼び出し音を聞いたり、呼び出し表示を見たりして、患者からの呼び出しを把握している。呼び出しを把握した医療従事者は、ナースコール親機に設けられた受話器やハンディナースコール親機により呼び出しに応答することができる。
【０００３】
ところで、多忙である医療従事者は、患者に対して看護行為を実施した後、その患者が居る病室から速やかに立ち去る必要がある。しかしながら、医療従事者が病室から立ち去ろうとした際に、会話好きの患者が医療従事者に話しかけることがあると、医療従事者は病室から立ち去れなくなってしまう。その会話が業務に関係の無い話題であるときには、話が長くなると、医療従事者は次の看護行為を実施するために患者との会話を切り上げる必要があった。しかし、会話の相手が患者であるため、会話を自ら切り上げ難くなってしまうという問題があった。
【０００４】
ところで、電話での通話を終了させたい場合に、電話の受け手が相手方に不快な感情を抱かせることなく、通話を終了させるきっかけを作るための手元チャイムが知られている（例えば、特許文献１など）。特許文献１に記載の手元チャイムは、チャイム音や幼児の鳴き声などの音を予め記憶しておき、通話中に電話の受け手が予め記憶しておいた音の中から選択した、状況に適した音をスピーカから出力するようにしている。これにより、スピーカから出力された音が受話器のマイクを通じて相手方に伝わるので、電話の受け手は、通話を終了させるきっかけを作ることができ、相手方に不快な感情を抱かせることなく通話を終了させることができる。
【０００５】
この特許文献１に記載の手元チャイムの機能をハンディナースコール親機に搭載すると、医療従事者が患者との会話を終了させるきっかけを作ることができる。このハンディナースコール親機を携行している医療従事者が患者との会話を終了させたい時点でハンディナースコール親機に搭載された手元チャイムの機能を実行すると、ハンディナースコール親機は、ナースコール呼び出し時に出力される呼び出し音に似た報知音などをスピーカから出力する。これにより、このハンディナースコール親機を携行している医療従事者は、ハンディナースコール親機に搭載された手元チャイムの機能を実行するだけで、患者との会話を終了させるきっかけを作ることができる。
【０００６】
ところで、医療従事者は、ナースコールシステムなどを介さずに病室に居る患者と面と向かって会話する場合がある。その場合、医療従事者と会話している患者は、医療従事者の行動を見ることができる。そのため、医療従事者がハンディナースコール親機に搭載された手元チャイムの機能を実行するところを患者に見られてしまう可能性がある。そのため、医療従事者は、患者との会話を終了させる際に、患者に対して不快な感情を抱かせずに手元チャイムの機能を実行することが困難になってしまうという問題があった。
【先行技術文献】
【特許文献】
【０００７】
【特許文献１】登録実用新案第３１４９０２７号公報
【発明の概要】
【発明が解決しようとする課題】
【０００８】
本発明は、このような問題を解決するために成されたものであり、医療従事者が患者と面と向かって会話している場合に、できる限り患者に対して不快な感情を抱かせないように医療従事者が患者との会話を終了させるきっかけを作れるようにすることを目的とする。
【課題を解決するための手段】
【０００９】
上述した課題を解決するために、本発明のハンディナースコール親機では、医療従事者がハンディナースコール親機に備えた開始操作部の操作を行ってから医療従事者が立ち去るべきタイミングまでの時間を、呼び出しを報知する報知部を動作させるための動作時間として予め記憶しておく。そして、開始操作部が操作されて動作時間が経過した場合に、報知部を動作させるようにしている。
【００１０】
また、本発明の他の態様によれば、医療従事者が開始操作部の操作を行ってから医療従事者が立ち去るべきタイミングまでの時間を、呼び出しを報知する報知部を動作させるための動作時間として予め記憶しておく。開始操作部が操作されてから、動作時間よりも短い所定時間が経過してから動作時間が経過するまでの間に医療従事者が病室に居ることを検出した場合、報知部を動作させるようにしている。
【発明の効果】
【００１１】
上記のように構成した本発明によれば、医療従事者がハンディナースコール親機に備えた開始操作部を操作して動作時間が経過した場合に、患者との会話を終了させるきっかけを作るための呼び出しがハンディナースコール親機から報知される。これにより、看護行為の対象となる患者が会話好きであると推測される場合に、医療従事者が病室に入る前にハンディナースコール親機に備えた開始操作部を予め操作しておけば、医療従事者が病室から立ち去るべきタイミングで報知を行うことができる。そのため、医療従事者が開始操作部の操作を患者の目の前で行う必要がなくなり、医療従事者が開始操作部を操作するところを患者に見られてしまう可能性が低くなる。このことから、医療従事者が患者と面と向かって会話している時に、医療従事者は、開始操作部を操作せずにハンディナースコール親機を報知させることができるので、できる限り患者に対して不快な感情を抱かせないように患者との会話を終了させるきっかけを作ることができる。
【００１２】
また、本発明の他の形態によれば、ハンディナースコール親機に備えた開始操作部が操作されてから医療従事者が立ち去るべきタイミングまでの時間である動作時間よりも短い所定時間が経過してから動作時間が経過するまでの間に、医療従事者が病室に居ることを検出しなくなった場合、医療従事者が患者との会話や看護行為を終了させて病室から立ち去ったと判断されるので、患者との会話を終了させるきっかけを作るための呼び出しが報知されない。一方、所定時間が経過してから動作時間が経過するまでの間に医療従事者が病室に居ることを検出した場合、医療従事者が病室から立ち去ることができずに患者との会話を継続していると判断されるので、患者との会話を終了させるきっかけを作るための呼び出しが報知される。これにより、医療従事者が開始操作部を操作してから病室に入り、病室内で看護行為を実施して、動作時間が経過する前に病室から立ち去った場合には、報知が行われなくなるので、医療従事者が病室から立ち去ったにもかかわらず開始操作部の操作による呼び出しが報知されてしまうという煩わしさをなくすことができる。
【図面の簡単な説明】
【００１３】
【図１】本実施形態によるハンディナースコール親機を含むナースコールシステムの構成例を示すブロック図である。
【図２】本実施形態によるハンディナースコール親機により実行されるきっかけ作りの呼び出しの報知のタイミングを示す説明図である。
【図３】本変形例によるハンディナースコール親機を含むナースコールシステムの構成例を示すブロック図である。
【図４】本変形例によるハンディナースコール親機により実行されるきっかけ作りの呼び出しの報知のタイミングを示す説明図である。
【発明を実施するための形態】
【００１４】
以下、本発明の一実施形態を図面に基づいて説明する。本実施形態によるハンディナースコール親機を含むナースコールシステムの構成例を示すブロック図を図１に示す。同図に示すように、ナースコールシステムは、ナースコール子機１、ナースコール親機２、ハンディナースコール親機１０を備えて構成されている。
【００１５】
また、ハンディナースコール親機１０は、制御部１１、インターフェース（以下、Ｉ／Ｆとする）部１２、報知部１３、記憶部１４、応答操作部１５、開始操作部１６、タイマー部１７を備えて構成されている。
【００１６】
図１において、ナースコール子機１は、病室内の患者の近辺（例えば、ベッド近傍など）に設置されており、患者が呼出ボタンなどの呼出操作部（図示せず）を操作することにより、医療従事者に対して呼び出しを行うための呼出信号を出力する。ナースコール子機１が呼出信号を出力した後、呼び出し操作を行ったナースコール子機１は、呼び出し操作ができない状態となる。この状態で、ナースコール親機２やハンディナースコール親機１０にて呼び出し操作に対する応答が行われると、ナースコール子機１を呼び出し操作ができる状態に戻すための復旧信号がナースコール親機２から出力される。ナースコール親機２から出力された復旧信号を入力したナースコール子機１は、呼び出し操作ができる状態に戻る。また、ナースコール子機１に通話機能が搭載されている場合には、ナースコール子機１とナースコール親機２との間、または、ナースコール子機１とハンディナースコール親機１０との間で通話を行うことができる。これにより、患者は、呼び出しに応答した医療従事者と会話することができる。ここで、本実施形態のナースコール子機１としては周知の技術を使用するため、ナースコール子機１の具体的な構成および処理の説明は省略する。また、ナースコール子機１は、ナースコール親機２に伝送線を介して接続されている。
【００１７】
ナースコール親機２は、医療従事者の居る部屋（例えば、スタッフルームなど）に設置されており、患者からの呼び出しを医療従事者に報知したり、医療従事者が患者からの呼び出しに対して応答したりするためのものである。ナースコール子機１から出力された呼出信号を入力すると、ナースコール親機２は、ハンディナースコール親機１０へ呼出信号を送信するとともに、親機用報知部（図示せず）にて患者からの呼び出しを医療従事者に報知する。この状態で、ハンディナースコール親機１０にて呼び出し操作に対する応答が行われた場合には、ハンディナースコール親機１０は応答信号を送信する。ナースコール親機２は、応答が行われたハンディナースコール親機１０から応答信号を受信すると、親機用報知部の動作を停止するとともに、呼出信号を出力したナースコール子機１へ復旧信号を出力する。ここで、ナースコール親機２には、複数のナースコール子機１が接続されている。また、ナースコール親機２とナースコール子機１との間には、図示しない制御機および廊下灯が設置されている。制御機は、ナースコール子機１とナースコール親機２との間の通話やデータの送受信に関する制御を行う。また、廊下灯は、自装置に設けた表示灯を点灯または点滅させ、ナースコール子機１による呼び出しを報知する。ここで、本実施形態のナースコール親機２としては周知の技術を使用するため、ナースコール親機２の具体的な構成および処理の説明は省略する。
【００１８】
ハンディナースコール親機１０は、例えば、ＰＨＳやコードレス電話などの携帯通信端末であって、医療従事者によりそれぞれ携行される。ここで、ハンディナースコール親機１０は、ナースコール親機２と無線通信可能である。また、ナースコール親機２とハンディナースコール親機１０との間には、図示しない交換機および複数の無線基地局が設置されている。交換機は、所謂ＰＢＸ（Ｐｒｉｖａｔｅ  Ｂｒａｎｃｈ  ｅＸｃｈａｎｇｅ）であり、ナースコール親機２とハンディナースコール親機１０との接続を行う際の中継装置である。また、無線基地局は、ハンディナースコール親機１０と無線通信するためのものである。また、無線基地局は複数存在し、院内の所定の場所に分散して配置されている。ハンディナースコール親機１０は、無線通信可能となった無線基地局と接続される。
【００１９】
制御部１１は、ハンディナースコール親機１０の各構成要素を後述するように制御する。Ｉ／Ｆ部１２は、ハンディナースコール親機１０がナースコール親機２との間で無線を介して通信するために各無線基地局を接続している。ここで、Ｉ／Ｆ部１２は、ナースコール親機２から送信された呼出信号を受信するとともに、ナースコール親機２へ応答信号を送信する。
【００２０】
報知部１３は、患者が医療従事者を呼び出すための呼び出し（以下、通常の呼び出しとする）を報知するとともに、患者との会話を終了させるきっかけを作るための呼び出し（以下、きっかけ作りの呼び出しとする）を報知するためのものである。また、報知部１３は、スピーカやバイブレータ、表示ディスプレイなどにより構成されており、スピーカから呼び出し音や音声を出力させたり、バイブレータを振動させたり、表示ディスプレイに呼び出し表示を行わせたり、これらを組み合わせたりして報知を行う。医療従事者は、呼び出し音や音声を聞いたり、バイブレータによる振動を感じ取ったり、表示ディスプレイによる表示を確認したりすることで、報知を把握することができる。ただし、本実施形態では、医療従事者に対して確実に報知を把握させなければならないので、報知部１３は、少なくとも呼び出し音や音声の出力またはバイブレータの振動により呼び出しを報知する必要がある。また、報知部１３は、報知のパターンを同一にして通常の呼び出しおよびきっかけ作りの呼び出しを区別せずに報知しても良いし、報知のパターンを異ならせて通常の呼び出しおよびきっかけ作りの呼び出しを区別して報知しても良い。ここで、本実施形態では、通常の呼び出しおよびきっかけ作りの呼び出しを同一のパターンで報知するようにしている。
【００２１】
記憶部１４は、メモリなどの記憶装置により構成されており、医療従事者が後述する開始操作部１６の操作を行ってから、医療従事者が患者の居る病室から立ち去るべきタイミングまでの動作時間を動作時間情報として記憶する。応答操作部１５は、ボタンなどにより構成されており、医療従事者が通常の呼び出しの報知に応答するためのものである。また、応答操作部１５は、きっかけ作りの呼び出しの報知を停止させるためのものである。
【００２２】
制御部１１は、Ｉ／Ｆ部１２がナースコール親機２から送信された呼出信号を受信したか否かを判定する。Ｉ／Ｆ部１２が呼出信号を受信したと制御部１１にて判断した場合に、制御部１１は、報知部１３を動作させて通常の呼び出しを報知させる。報知部１３が通常の呼び出しを報知している状態である場合に、制御部１１は、応答操作部１５が操作されたか否か（換言すると、医療従事者が通常の呼び出しの報知に応答したか否か）を判定する。報知部１３が通常の呼び出しを報知している状態である場合に、応答操作部１５が操作された（換言すると、医療従事者が通常の呼び出しの報知に応答した）と制御部１１にて判断したときに、制御部１１は、報知部１３の動作を停止させて、通常の呼び出しの報知を停止させる。また、制御部１１は応答信号を生成して、Ｉ／Ｆ部１２は制御部１１が生成した応答信号をナースコール親機２へ送信する。
【００２３】
報知部１３がきっかけ作りの呼び出しを報知している場合に、制御部１１は、応答操作部１５が操作されたか否か（換言すると、医療従事者がきっかけ作りの呼び出しの報知を停止させたか否か）を判定する。報知部１３がきっかけ作りの呼び出しを報知している場合に、応答操作部１５が操作された（換言すると、医療従事者がきっかけ作りの呼び出しの報知を停止させた）と制御部１１にて判断したときに、制御部１１は、報知部１３の動作を停止させて、きっかけ作りの呼び出しの報知を停止させる。
【００２４】
開始操作部１６は、ボタンなどにより構成されており、記憶部１４に記憶しておいた動作時間情報の時間が経過した後にきっかけ作りの呼び出しを報知部１３に報知させるためのものである。看護行為の対象となる患者が会話好きであると推測される場合に、医療従事者は、病室に入る前に開始操作部１６を予め操作する。タイマー部１７は時間を計測するためのものである。
【００２５】
Ｉ／Ｆ部１２がナースコール親機２から送信された呼出信号を受信していない場合に、制御部１１は、開始操作部１６が操作されたか否か（換言すると、医療従事者がきっかけ作りの呼び出しを行ったか否か）を判定する。Ｉ／Ｆ部１２がナースコール親機２から送信された呼出信号を受信していない場合に、開始操作部１６が操作された（換言すると、医療従事者がきっかけ作りの呼び出しを行った）と制御部１１にて判断したときに、制御部１１はタイマー部１７を動作させ、タイマー部１７は時間の計測を開始する。
【００２６】
その後、制御部１１は、タイマー部１７が計測した時間が記憶部１４に記憶しておいた動作時間情報の時間になったか否かを判定する。タイマー部１７が計測した時間が記憶部１４に記憶しておいた動作時間情報の時間になったと制御部１１にて判断した場合に、制御部１１はタイマー部１７の動作を停止させるとともに報知部１３を動作させる。そして、報知部１３はきっかけ作りの呼び出しを報知する。
【００２７】
ここで、通常の呼び出しは、患者がナースコール子機１を使用して呼び出しを行ったことで報知部１３を報知させる本物の呼び出しである。一方、きっかけ作りの呼び出しは、医療従事者が開始操作部１６を操作したことで報知部１３を報知させるダミーの呼び出しである。そのため、通常の呼び出しによる報知ときっかけ作りの呼び出しとが重複した（換言すると、タイマー部１７が時間を計測している際、または報知部１３がきっかけ作りの呼び出しを報知している際に、Ｉ／Ｆ部１２がナースコール親機２から送信された呼出信号を受信した）場合に、ハンディナースコール親機１０は、通常の呼び出しを優先して報知部１３を動作させる。
【００２８】
次に、本実施形態によるハンディナースコール親機１０により実行されるきっかけ作りの呼び出しの報知のタイミングを図２を用いて説明する。同図に示すように、この例では、予め記憶部１４に記憶しておいた動作時間情報に対応する動作時間をＸとしている。
【００２９】
ここで、同図中のひし形で示すマークＴＳは、タイマー部１７による時間の計測が開始されたタイミングを示すものである。また、同図中の白塗りの三角（上向き）で示すマークＩＮ１は、医療従事者が病室に入室したタイミングを示すものである。また、同図中の黒塗りの三角（下向き）で示すマークＥＮ１は、予定通りに看護行為が終了したタイミングを示すものである。また、同図中の黒塗りの丸で示すマークＹＯ１は、きっかけ作りの呼び出しの報知が行われたタイミングを示すものである。また、同図中の白塗りの丸で示すマークＴＥ１は、きっかけ作りの呼び出しの報知を停止させたタイミングを示すものである。また、同図中の白塗りの三角（下向き）で示すマークＯＵ１は、医療従事者が病室から退室したタイミングを示すものである。
【００３０】
まず、看護行為の対象となる患者が会話好きであると推測される場合に、医療従事者が病室に入る前に開始操作部１６を操作すると、制御部１１はタイマー部１７を動作させ、タイマー部１７は時間の計測を開始する（図中のタイミングＴＳ）。開始操作部１６を操作した後、医療従事者は、患者に対して看護行為を実施するために、患者が居る病室に入室する（図中のタイミングＩＮ１）。その後、病室に入室している医療従事者は、予定通りに看護行為を終了させるが（図中のタイミングＥＮ１）、病室から退室せずに病室に居続けている。そして、タイマー部１７で計測されている時間が動作時間Ｘになったと制御部１１にて判断されると、制御部１１は報知部１３を動作させて、きっかけ作りの呼び出しを報知させるとともに（図中のタイミングＹＯ１）、タイマー部１７の動作を停止させる。この報知が患者に伝わっている状態で、医療従事者が応答操作部１５を操作すると、制御部１１は報知部１３の動作を停止させて、きっかけ作りの呼び出しの報知を停止させる（図中のタイミングＴＥ１）。そして、医療従事者は、呼び出しが報知されたことにより患者との会話を終了させるきっかけを作って病室から退室する（図中のタイミングＯＵ１）。
【００３１】
以上、詳しく説明したように、本実施形態のハンディナースコール親機１０では、開始操作部１６が操作されてから医療従事者が患者の居る病室から立ち去るべきタイミングまでの動作時間を動作時間情報として記憶部１４に予め記憶しておく。開始操作部１６が操作されると、制御部１１はタイマー部１７を動作させ、タイマー部１７は時間の計測を開始する。タイマー部１７が計測した時間が記憶部１４に記憶しておいた動作時間情報の時間になったと制御部１１にて判断した場合に、制御部１１は報知部１３を動作させて、報知部１３はきっかけ作りの呼び出しを報知するようにしている。これにより、看護行為の対象となる患者が会話好きであると推測される場合に、医療従事者が病室に入る前にハンディナースコール親機１０に備えた開始操作部１６を予め操作しておけば、病室から立ち去るべきタイミングでハンディナースコール親機１０に備えた報知部１３に報知を行わせることができる。そのため、医療従事者がきっかけ作りの呼び出しを行うための開始操作部１６の操作を患者の目の前で行う必要がなくなり、医療従事者が開始操作部１６を操作するところを患者に見られてしまう可能性が低くなる。このことから、医療従事者が患者と面と向かって会話している時に、医療従事者は、開始操作部１６を操作せずにハンディナースコール親機１０に備えた報知部１３を報知させることができるので、できる限り患者に対して不快な感情を抱かせないように患者との会話を終了させるきっかけを作ることができる。
【００３２】
なお、前述した実施形態では、タイマー部１７が計測した時間が記憶部１４に記憶しておいた動作時間情報の時間になったと制御部１１にて判断した場合に、制御部１１はタイマー部１７の動作を停止させているが、これに限定されない。例えば、タイマー部１７が時間を計測している状態で、応答操作部１５が操作されたと制御部１１にて判断した場合に、制御部１１はタイマー部１７の動作を停止させるようにしても良い。これにより、きっかけ作りの呼び出しが報知部１３にて報知される前に医療従事者が病室から退室した場合に、医療従事者は、きっかけ作りの呼び出しの報知をキャンセルすることができる。このことから、医療従事者が病室から立ち去ったにもかかわらず呼び出しが報知されてしまうという煩わしさをなくすことができる。
【００３３】
また、前述した実施形態では、医療従事者が開始操作部１６を操作した時間に関係なく、報知部１３は、少なくとも呼び出し音や音声の出力またはバイブレータの振動により呼び出しを報知しているが、これに限定されない。例えば、医療従事者が開始操作部１６を操作した時間に応じて、報知部１３は、報知パターンを異ならせてきっかけ作りの呼び出しを報知するようにしても良い。
【００３４】
具体的には、制御部１１は、開始操作部１６が操作された際に、開始操作部１６の操作時間を計測する。また、記憶部１４は、操作部１５の操作が短押しであるか長押しであるかを判定するためのしきい値を予め記憶しておく。報知部１３がきっかけ作りの呼び出しを報知する際に、制御部１１は、計測した開始操作部１６の操作時間が記憶部１４に記憶しておいたしきい値よりも短いか否か（換言すると、開始操作部１６の操作が短押しであるか否か）を判定する。開始操作部１６の操作時間が記憶部１４に記憶しておいたしきい値よりも短い（換言すると、開始操作部１６の操作が短押しである）と制御部１１にて判断した場合に、報知部１３は、音声やメロディを出力させてきっかけ作りの呼び出しを報知する。一方、開始操作部１６の操作時間が記憶部１４に記憶しておいたしきい値以上である（換言すると、開始操作部１６の操作が長押しである）と制御部１１が判断した場合に、報知部１３は、バイブレータを振動させてきっかけ作りの呼び出しを報知する。これにより、報知部１３が開始操作部１６の操作時間に応じて報知パターンを異ならせて報知するので、医療従事者は、病室の状況（例えば、きっかけ作りの呼び出しを夜間に報知させる場合、報知により寝ている患者を起こさないようにする状況など）に応じて報知パターンを使い分けることができる。
【００３５】
また、前述した実施形態では、通常の呼び出しやきっかけ作りの呼び出しを区別して報知するか否かに関係なく、応答操作部１５が操作されると、制御部１１は報知を停止させているが、これに限定されない。例えば、報知部１３が通常の呼び出しやきっかけ作りの呼び出しを区別して報知した場合に、制御部１１は、それぞれの報知を停止させる操作を区別する（例えば、応答操作部１５が操作された場合に通常の呼び出しの報知を停止し、ハンディナースコール親機１０に備えた停止操作部（図示せず）が操作された場合にきっかけ作りの呼び出しの報知を停止する）ようにしても良い。
【００３６】
また、前述した実施形態では、制御部１１は、記憶部１４に予め記憶しておいた動作時間情報を医療従事者が実施する看護行為に関係無く取得しているが、これに限定されない。例えば、制御部１１は、医療従事者が実施する看護行為に対応する動作時間情報を記憶部１４から取得するようにしても良い。この場合、看護行為を示す看護行為情報と動作時間情報を関連付けて記憶部１４に予め記憶しておく必要がある。また、開始操作部１６の操作の際に、実施する看護行為を選択できるようにし、選択した看護行為の看護行為情報に関連付けて記憶部１４に記憶されている動作時間情報を制御部１１が取得するようにする必要がある。
【００３７】
また、前述した実施形態では、タイマー部１７が計測した時間が記憶部１４に記憶しておいた動作時間情報の時間になったと制御部１１にて判断した場合に、制御部１１は報知部１３を動作させているが、これに限定されない。例えば、この判定条件に加えて医療従事者の居場所に応じて、制御部１１は報知部１３を動作させるようにしても良い。
【００３８】
具体的には、図３に示すようなナースコールシステムを用いて実現する。同図に示すように、本変形例は、ＩＣ（Ｉｎｔｅｇｒａｔｅｄ  Ｃｉｒｃｕｉｔ）タグ３、ＩＣタグリーダ（特許請求の範囲の検出部に該当する）１８を追加して構成している。また、ハンディナースコール親機１０は、ＩＣタグリーダ１８を備えて構成されている。また、各病室には、ＩＣタグ３が設置されている。また、Ｉ／Ｆ部１２、報知部１３、記憶部１４、応答操作部１５、開始操作部１６、タイマー部１７の動作については、前述の実施形態と同様の動作を行うため、説明を省略する。
【００３９】
ＩＣタグ３は、ＩＣタグリーダ１８と無線通信可能であり、ＩＣタグ３とＩＣタグリーダ１８とが無線通信可能となる距離に近づいた際に無線を介してＩＣタグリーダ１８に接続される。ここで、ＩＣタグ３とＩＣタグリーダ１８とが無線通信可能となる距離は、少なくとも医療従事者が病室に居る場合にＩＣタグ３とＩＣタグリーダ１８とが無線通信を確実に行うことができる距離であることが好ましい。また、ＩＣタグ３には、自装置が設置されている病室を識別するための病室情報が予め記憶されている。
【００４０】
ＩＣタグリーダ１８は、ＩＣタグ３との間で所定のタイミングで定期的に通信を試みる。具体的には、ＩＣタグリーダ１８は、自装置とＩＣタグ３との距離が読み取り可能な距離になった場合に、ＩＣタグ３を接続してＩＣタグ３に記憶されている病室情報を読み取る。そして、ＩＣタグリーダ１８は、ＩＣタグリーダ１８が読み取った病室情報を制御部１１へ出力する。従って、ＩＣタグリーダ１８は、病室に設置されているＩＣタグ３と通信して病室情報を読み取り続けることで、医療従事者が病室に居ることを検出している。
【００４１】
Ｉ／Ｆ部１２がナースコール親機２から送信された呼出信号を受信していない場合に、開始操作部１６が操作されたと制御部１１にて判断したときに、制御部１１はタイマー部１７を動作させ、タイマー部１７は時間の計測を開始する。その後、制御部１１は、タイマー部１７が計測した時間が所定時間になったか否かを判定する。ここで、所定時間とは、動作時間よりも短く、例えば医療従事者が開始操作部１６を操作してから病室に入り、病室内で看護行為を実施して、看護行為が終了するまでに要する時間などである。また、記憶部１４は所定時間を所定時間情報として予め記憶しておき、制御部１１は記憶部１４に記憶しておいた所定時間情報を取得して前述の判定処理を実行する。
【００４２】
タイマー部１７が計測した時間が所定時間（すなわち、記憶部１４に記憶しておいた所定時間情報の時間）になったと制御部１１にて判断した場合に、制御部１１は、タイマー部１７が計測した時間が記憶部１４に記憶しておいた所定時間情報の時間になってから記憶部１４に記憶しておいた動作時間情報の時間になるまでの間に、ＩＣタグリーダ１８が病室に設置されているＩＣタグ３と通信して病室情報を読み取り続けているか否か（換言すると、医療従事者が病室に居ることを検出したか否か）を判定する。タイマー部１７が計測した時間が記憶部１４に記憶しておいた所定時間情報の時間になってから記憶部１４に記憶しておいた動作時間情報の時間になるまでの間に、ＩＣタグリーダ１８が病室に設置されているＩＣタグ３と通信して病室情報を読み取り続けていない（換言すると、医療従事者が病室に居ることを検出しなくなった）と制御部１１にて判断した場合に、医療従事者が患者との会話や看護行為を終了させて病室から立ち去ったと判断されて、制御部１１は報知部１３を動作させない。
【００４３】
一方、タイマー部１７が計測した時間が記憶部１４に記憶しておいた所定時間情報の時間になってから記憶部１４に記憶しておいた動作時間情報の時間になるまでの間に、ＩＣタグリーダ１８が病室に設置されているＩＣタグ３と通信して病室情報を読み取り続けている（換言すると、医療従事者が病室に居ることを検出した）と制御部１１にて判断した場合に、医療従事者が病室から立ち去ることができずに患者との会話を継続していると判断されて、制御部１１は報知部１３を動作させて、きっかけ作りの呼び出しを報知させるとともに、タイマー部１７の動作を停止させる。
【００４４】
次に、本変形例によるハンディナースコール親機１０により実行されるきっかけ作りの呼び出しの報知のタイミングを図４を用いて説明する。同図（ａ）は、タイマー部１７が計測した時間が動作時間になるまでに、医療従事者が病室から退室し、きっかけ作りの呼び出しを報知しないケースを示している。また、同図（ｂ）は、タイマー部１７が計測した時間が動作時間になるまで医療従事者が病室に居て、きっかけ作りの呼び出しを報知するケースを示している。また、この例では、予め記憶部１４に記憶しておいた動作時間情報に対応する動作時間をＸとしており、予め記憶部１４に記憶しておいた所定時間情報に対応する所定時間をＹとしている。
【００４５】
ここで、同図中のひし形で示すマークＴＳは、タイマー部１７による時間の計測が開始されたタイミングを示すものである。また、同図中の白塗りの三角（上向き）で示すマークＩＮ２、ＩＮ３は、医療従事者が病室に入室したタイミングを示すものである。また、同図中の白塗りの四角で示すマークＳＹ１、ＳＹ２は、タイマー部１７が計測した時間が所定時間Ｙになったタイミングを示すものである。また、同図中の白塗りの三角（下向き）で示すマークＯＵ２、ＯＵ３は、医療従事者が病室から退室したタイミングを示すものである。また、同図中の黒塗りの四角で示すマークＫＥ１は、ＩＣタグリーダ１８が病室に設置されているＩＣタグ３と通信して病室情報を読み取らなくなったタイミングを示すものである。また、同図中の黒塗りの三角（下向き）で示すマークＥＮ２は、予定通りに看護行為が終了したタイミングを示すものである。また、同図中の黒塗りの丸で示すマークＹＯ２は、きっかけ作りの呼び出しの報知が行われたタイミングを示すものである。また、同図中の白塗りの丸で示すマークＴＥ２は、きっかけ作りの呼び出しの報知を停止させたタイミングを示すものである。
【００４６】
図４（ａ）において、看護行為の対象となる患者が会話好きであると推測される場合に、医療従事者が病室に入る前に開始操作部１６を操作すると、制御部１１はタイマー部１７を動作させ、タイマー部１７は時間の計測を開始する（図４（ａ）中のタイミングＴＳ）。開始操作部１６を操作した後、医療従事者は、患者に対して看護行為を実施するために、患者が居る病室に入室する（図４（ａ）中のタイミングＩＮ２）。タイマー部１７で計測されている時間が所定時間Ｙになったと制御部１１にて判断されると、ＩＣタグリーダ１８が病室に設置されているＩＣタグ３と通信して病室情報を読み取り続けているか否かを判定する対象の期間に入る（図４（ａ）中のタイミングＳＹ１）。その後、タイマー部１７で計測されている時間が所定時間Ｙになってから動作時間Ｘになるまでの間に、医療従事者は病室から退室する（図４（ａ）中のタイミングＯＵ２）。医療従事者が病室から退室すると、ＩＣタグリーダ１８が病室に設置されているＩＣタグ３と通信して病室情報を読み取らなくなったと制御部１１にて判断され、制御部１１はタイマー部１７の動作を停止させる（図４（ａ）中のタイミングＫＥ１）。従って、動作時間Ｘが経過しても、制御部１１は報知部１３を動作させない。
【００４７】
また、図４（ｂ）において、看護行為の対象となる患者が会話好きであると推測される場合に、医療従事者が病室に入る前に開始操作部１６を操作すると、制御部１１はタイマー部１７を動作させ、タイマー部１７は時間の計測を開始する（図４（ｂ）中のタイミングＴＳ）。開始操作部１６を操作した後、医療従事者は、患者に対して看護行為を実施するために、患者が居る病室に入室する（図４（ｂ）中のタイミングＩＮ３）。タイマー部１７で計測されている時間が所定時間Ｙになったと制御部１１にて判断されると、ＩＣタグリーダ１８が病室に設置されているＩＣタグ３と通信して病室情報を読み取り続けているか否かを判定する対象の期間に入る（図４（ｂ）中のタイミングＳＹ２）。その後、病室に入室している医療従事者は、予定通りに看護行為を終了させるが（図４（ｂ）中のタイミングＥＮ２）、病室から退室せずに病室に居続けている。そして、タイマー部１７で計測されている時間が所定時間Ｙになってから動作時間Ｘになるまで、ＩＣタグリーダ１８が病室に設置されているＩＣタグ３と通信して病室情報を読み取り続けていると制御部１１にて判断されると、制御部１１は報知部１３を動作させて、きっかけ作りの呼び出しを報知させるとともに（図中のタイミングＹＯ２）、タイマー部１７の動作を停止させる。この報知が患者に伝わっている状態で、医療従事者が応答操作部１５を操作すると、制御部１１は報知部１３の動作を停止させて、きっかけ作りの呼び出しの報知を停止させる（図中のタイミングＴＥ２）。そして、医療従事者は、呼び出しが報知されたことにより患者との会話を終了させるきっかけを作って病室から退室する（図中のタイミングＯＵ３）。
【００４８】
これにより、医療従事者が開始操作部１６を操作してから病室に入り、病室内で看護行為を実施して、動作時間が経過する前に病室から立ち去った場合には、報知が行われなくなるので、医療従事者が病室から立ち去ったにもかかわらず開始操作部１６の操作による呼び出しが報知されてしまうという煩わしさをなくすことができる。
【００４９】
また、前述した変形例では、ＩＣタグ３は各病室に設置され、ＩＣタグリーダ１８はハンディナースコール親機１０に備えられているが、これに限定されない。例えば、ＩＣタグリーダ１８は各病室に設置され、ＩＣタグ３はハンディナースコール親機１０に備えられても良い。その際、ＩＣタグ３は、ハンディナースコール親機１０を識別するための端末識別情報を病室情報の代わりに予め記憶し、ＩＣタグリーダ１８は、自装置を識別するための識別情報を予め記憶する。また、ＩＣタグリーダ１８は、病院施設内の通信ネットワーク（例えば、ナースコール子機とナースコール親機とを接続するための通信線など）に接続され、読み取った端末識別情報とともに、読み取りを行ったＩＣタグリーダ１８の識別情報を、通信ネットワークを介してハンディナースコール親機１０へ出力する必要がある。
【００５０】
また、前述した変形例では、ＩＣタグ３とＩＣタグリーダ１８とを使用して、医療従事者が病室に居ることを検出しているが、これに限定されない。例えば、ハンディナースコール親機１０と無線基地局との間で無線通信する際に生じる電波の強度に応じて、医療従事者が病室に居るか否かを検出したり、医療従事者の入退室を検出するセンサ（例えば、赤外線センサなど）を病室に入り口に設置し、センサの検出結果により医療従事者が病室に居るか否かを検出したりするようにしても良い。
【００５１】
その他、ハンディナースコール親機の構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００５２】
１    ナースコール子機
２    ナースコール親機
３    ＩＣタグ
１０    ハンディナースコール親機
１１    制御部
１２    インターフェース（Ｉ／Ｆ）部
１３    報知部
１４    記憶部
１５    応答操作部
１６    開始操作部
１７    タイマー部
１８    ＩＣタグリーダ
【図１】
2010259501.tif 000003
【図２】
2010259501.tif 000004
【図３】
2010259501.tif 000005
【図４】
2010259501.tif 000006